(57)【要約】【課題】水底の汚泥を回収する場合において最も注意を払うべきは、水底において鎮静化している汚泥を水中に拡散させてしまうことのないよう行わことである。従来型の渫機によっては除染すべき池等の水底の表面のみを静かにすくい取ることが困難であり、移動の際に汚泥が巻き上がってしまうことがあるという問題があった。そのため，浚渫構造体の移動において汚泥が巻き上がってしまうことを防止できるような技術が望まれていた。【解決手段】上面と、背面と、側面と、取込口と、開口と、取込口が詰まるサイズの物を取込口に入れないための柵と、移動用シャフトと、前記上面略前端から前方に張り出した水底で巻き上げられる濁りを吸い取るための庇を有する浚渫用取込口構造体を提供する。【選択図】図１
2019015102.tif 000002
【特許請求の範囲】
【請求項１】
上面と
上面の進行方向後端に配置される背面と、
側面と、
背面下端近傍に設けられる浚渫対象となる泥や砂などを吸い上げるための取込口と、
進行方向に向けた開口と、
上面略前端から背面下端に向けて取込口が詰まるサイズの物を取込口に入れないための柵と、
自身を水底上で移動させるための移動用シャフトと、
前記上面略前端から前方に張り出した水底で巻き上げられる濁りを吸い取るための庇と、を有する浚渫用取込口構造体。
【請求項２】
前記庇は角度調整可能である請求項１に記載の浚渫用取込口構造体。
【請求項３】
前記庇は、上面の左右方向に張り出している請求項１又は請求項２に記載の浚渫用取込口構造体。
【請求項４】
さらに側面の開口縁にも庇が設けられている請求項１から請求項３のいずれか一に記載の浚渫用取込口構造体。
【発明の詳細な説明】
【技術分野】
【０００１】
本発明は、池、湖、沼など（以下「池等」という。）の水底に堆積している汚泥を浚い取る浚渫機において泥土を取り込むための浚渫用取込口構造体に関する。
【０００２】
２０１１年３月の福島第一原子力発電所の事故により拡散した放射性セシウムによる土壌汚染の対策が急がれている。特に放射性セシウムを吸着した土壌が降雨などにより水域に流入し池等の閉鎖した水域の水底に集積し、放射性セシウムの高濃度化が生じている。
そして、このような閉鎖性水域が農業用のため池である場合には耕作地を再汚染し、漁場である場合には水産物の汚染を招くこととなり早急な対策が求められている。
【０００３】
水底での泥土汚染は表層において汚染度が高く、深いところでの汚染度は低くなることがわかっている。したがって、水底表層の深さ数センチメートルから十数センチメートル程度の泥土を浚渫機により浚い取ることで、相当量の汚染泥土を除去することができる。特許文献１には、従来の組み立て作業用台船が、特許文献２には、従来型の浚渫機が開示されている。
【０００４】
特許文献１に開示されるような従来の組立式作業台船は、単に浮体の集合体であって、浚渫用装置を備えたものではないことから、浚渫する場合には、別途浚渫機を用意する必要がある。また、特許文献２に開示されるような従来の浚渫機を用いる場合、水底が固い場合や石などを多く含む場合であっても効率よく泥土の吸引ができるようにするため、例えば、先端に刀を備える撹拌羽を回転軸に設け、この撹拌羽を回転させて水底をかき回して泥土の吸引を行っている。
【先行技術文献】
【特許文献】
【０００５】
【特許文献１】特開２００２−３７１８１号公報
【０００６】
【特許文献２】特開２００８−３１７４５号公報
【発明の概要】
【発明が解決しようとする課題】
【０００７】
水底の汚泥を回収する場合において最も注意を払うべきは、汚泥を巻き上げて水中に拡散させてしまわないようにすることである。すなわち、水底において鎮静化している汚泥を水中に拡散させてしまうことのないよう行わなければならない。しかしながら、上記特許文献１、特許文献２の発明はどちらも用途が限定されていない作業用の台船であり、仮にこれを用いて除染するとなると、台船上に別途浚渫装置を設置することになり、従来型の浚渫機によっては除染すべき池等の水底の表面のみを静かにすくい取ることが困難であり、移動の際に汚泥が巻き上がってしまうことがあるという問題があった。そのため，浚渫構造体の移動において汚泥が巻き上がってしまうことを防止できるような技術が望まれていた。
【課題を解決するための手段】
【０００８】
本発明は，そのような課題を解決するため，汚泥を巻き上げずに浚い取るための庇を有する浚渫用取込口構造体を提供する。
【０００９】
具体的には，上面と、上面の進行方向後端に配置される背面と、側面と、背面下端近傍に設けられる浚渫対象となる泥や砂などを吸い上げるための取込口と、進行方向に向けた開口と、上面略前端から背面下端に向けて取込口が詰まるサイズの物を取込口に入れないための柵と、自身を水底上で移動させるための移動用シャフトと、前記上面略前端から前方に張り出した水底で巻き上げられる濁りを吸い取るための庇と、を有する浚渫用取込口構造体を提供する。
【発明の効果】
【００１０】
本発明により，浚渫用取込口構造体の移動において汚泥が巻き上がってしまうことを防止できる機能を備えた浚渫用取込口構造体を提供することができる。
【図面の簡単な説明】
【００１１】
【図１】浚渫用取込口構造体の基本的な構造を示す斜視図（前方より見たもの））
【図２】浚渫用取込口構造体の基本的な構造を示す斜視図（後方より見たもの）
【図３】浚渫用取込口構造体の上面と断面の関係に関する説明図
【図４】汚泥が浅い、標準、深い、斜面が急か急でないにより想定される上面のバリエーション変形図
【図５】汚泥の深さと本体のバリエーションを説明する断面図。汚泥が深いと本取込口構造体の長さと、高さがそれぞれ大きくなる。
【図６】斜面の傾斜が浅い深いにかかわらず開口の幅が狭い方が、水底に適応し汚泥を浚うことができることを説明する変形図
【図７】背面の形状に関し、２面の角度と汚泥の粘度が対応することに関する説明図
【図８】背面の形状のバリエーションの説明図で、曲げ加工を示す図
【図９】開口と柵が高さにより変化することを説明する図
【図１０】開口と泥の深さの説明図
【図１１】取込口が標準の１つではなく３つの場合の上面と断面の関係を説明する図
【図１２】浚渫用取込口構造体の柵を下から見た説明図
【図１３】取込口の直径が柵と柵の間の距離の３倍から５倍であることを説明する図
【図１５】移動用シャフトの構造と受け口との接続部分を中心に左右に動くことを示す説明図
【図１４】浚渫用取込口構造体がフロート部と共に構成する浚渫用構造体の構造を示す説明図
【図１６】庇の浚渫用構造体での位置を示す断面図（ａ）と使用の際に水底上の汚泥と浚渫用構造体並びに庇の位置を示す説明図
【図１７】庇と汚泥の効果について、庇があればない場合拡散してしまう深さの汚泥でも拡散を防げることを示す断面図（ａ）（ｂ）、汚泥が浅い場合の庇の効果を示す断面図（ｃ）
【図１８】角度調整可能な庇の構造の上面図。庇と支持板の構造、位置関係を示している。
【図１９】角度調整可能な庇の構造の側面図。庇と支持板の構造、位置関係を示している。
【図２０】上面先端に備わる庇が左右に張り出している場合を説明する図
【図２１】上面先端に加え側面開口部にも庇が設けられている場合の説明図
【発明を実施するための形態】
【００１２】
以下に本件発明の実施形態を説明する。
＜実施形態１＞
【００１３】
＜実施形態１概要＞
本実施形態の浚渫用取込口構造体は、庇を開口（０１０５）の先端上部に有し、池等の水底上に堆積している放射性セシウムなど有害物を含む汚染泥土の浚渫時、拡散を抑えつつ、効率的に取り込むことができる。
【００１４】
＜構成＞
本浚渫用取込口構造体は、上面（０１０１）、背面（０１０２）と、側面（０１０３）と、取込口（０１０４）と、開口（０１０５）と、柵（０１０６）と、移動用シャフト（０１０７）と、水底で巻き上げられる濁りを吸い取るための庇（０１０８）とからなる。以下、各部の構成について説明する。
【００１５】
＜上面＞
「上面」（０１０１）は本浚渫用取込口構造体の上部に位置し、水底上で移動するための移動用シャフト（０１０７）が設けられる。その移動用シャフトの長さは水底までの距離に合わせて調整できる。加えて開口（０１０５）の前端上側には汚泥が水中で巻き上げられて発生する濁りを吸い取るための庇（０１０８）を備える。
【００１６】
「上面」は開口から浚渫用取込口構造体の内部に取り込んだ汚泥を受け止めて、取込口へと運ぶのと同時に汚泥の巻き上がりを抑える機能を有する。
【００１７】
上面のバリエーションは水底上の汚泥の深さ（浅い、標準、深い）と水底の傾斜角度（急かそうでないか）により、図４（ａ）、（ｂ）、（ｃ）、（ｄ）、（ｅ）の ５種類に分け説明する。汚泥が浅い図４（ａ）の場合、上面の長さ（Ｍ３）は、標準的な汚泥の深さ図４（ｂ）の上面の長さ（Ｍ1）より短くなる。
例えば、図４（ａ）で、汚泥の深さが１０センチメートル（誤差２０％以内）の場合には、幅Ｌ１は任意例えば、４０センチメートルから５０センチメートル程度だが、上面の長さＭ３は３０センチメートルから４０メートル程度で、開口の高さは１０センチメートルから１５センチメートル程度でよい。
【００１８】
例えば、図４（ｂ）で汚泥の深さが標準的な場合、例えば１５センチメートル（誤差２０％以内）の場合には幅Ｌ１は急傾斜でない限り任意、例えば４０センチメートルから５０メートル程度だが、上面の長さＭ１は３５センチメートルから４５センチメートル程度で、開口の高さは１５センチメートルから１８センチメートル程度でよい。
【００１９】
例えば、図４（ｃ）で汚泥の深さが深い場合、例えば２０センチメートル（誤差２０％以内）の場合には幅Ｌ１は急傾斜でない限り任意、例えば４０センチメートルから５０センチメートル程度だが、上面の長さＭ２は４０センチメートルから５０センチメートル程度で、開口の高さは２０センチメートルから２４センチメートル程度でよい。
【００２０】
例えば、図４（ｄ）で汚泥の深さが標準的であるが、急斜面に平行に移動させなければならない場合、例えば傾斜度が、１０度（誤差２０％）である場合には、汚泥の深さが１５センチメートル（誤差２０％以内）であると、幅Ｌ２は例えば３０センチメートルから４０センチメートル程度、上面の長さＭ１は３５センチメートルから４５センチメートル程度で、開口の高さは１５センチメートルから２０センチメートル程度でよい。
【００２１】
例えば、図４（ｅ）で汚泥の深さが深く２０センチメートル（誤差２０％以内）、急斜面に平行に移動させなければならない場合、例えば傾斜度が、１０度（誤差２０％）である場合には、幅Ｌ２は３０センチメートルから４０センチメートル程度、開口の高さは２０センチメートルから２４センチメートル程度、上面の長さＭ２は、４０センチメートルから５０センチメートル程度がよい。
【００２２】
汚泥が深い図４（ｃ）のような場合、上面の長さ（Ｍ2）は標準的な汚泥の深さ図４（ｂ）の上面の長さ（Ｍ1）より長くなる。また池等の水底が急傾斜面の場合、図４（ｄ）、（ｅ）のように上面の幅は狭くなり（Ｌ２）、緩斜面並び平低面の場合は図４（ａ）、（ｂ）、（ｃ）のように標準的な上面幅（Ｌ１）となる。
【００２３】
図５の横断図は汚泥の深さと上面（０１０１）の長さの関係を説明している。汚泥が浅い場合（Ｌ１）の本体の上面の長さ（Ｍ1）に比べ、汚泥が深い場合（Ｌ1）はこの長さが大きくなる(Ｍ2)。汚泥が深い場合、浚渫用取込口構造体の長さが長く、全体が大きくないと汚泥の取込が十分ではなくなるのである。
【００２４】
図６は、浚渫用取込口構造体の進行方向に対して90度方向が斜面である場合である。図６（ａ）は開口が標準的な幅で、水平な水底の場合を示している。斜面の傾斜が同じ場合、開口の幅が広い方が、開口の幅が狭い方に比べ、斜面より遠い端と水底との距離が長くなる。すなわち図６（ｂ）と図６（ｄ）では、Ｌ1>Ｌ2  であり、図６（ｃ）と図６（ｅ）では、Ｍ1>Ｍ2となる。開口は狭くても、斜面上の汚泥により近いため、取り込みの効率は改善され、斜面上の汚泥を取り込みやすい。例えば、図６（ｂ）（ｄ）は傾斜角が１０度を想定しているが、開口幅としては３０センチメートル程度（幅プラスマイナス１０％）が好ましい。また、図６（ｃ）（ｅ）は傾斜角が２０度を想定しているが、開口幅としては２０センチメートル程度が好ましい。
【００２５】
＜背面＞
「背面」（０１０３）は上面の進行方向後端に配置される。「背面」には開口から取り込まれた放射線セシウムの汚染泥土を取込管へ送る取込口が備わる。「背面」の形状は直線ではなく、取込口に汚泥が集まるよう取込口を頂点として、側面から角度をつける。
【００２６】
図7は汚泥の粘度による背面の取込口を頂点とする２面の角度の違いを説明する平面図である。図7（ａ）は、汚泥の粘度が低い場合、開口、取込口から取込管へ送りやすいため、標準的な粘度の場合である図７（ｂ）より角度が大きくなり、その結果取込管へ送る汚泥の量が多いことを示している。逆に汚泥の粘度が高い場合である図７（ｃ）は、2面の角度が小さくなり、粘度の高い汚泥を確実に取込管へ送るため汚泥の量を抑える。
図７（ａ）の例としては、粘度が１００平方ミリ／秒から２００平方ミリ／秒程度の場合、背面の交差角は１６０度（幅プラスマイナス１０％）程度がよく、
図７（ｂ）の例としては、粘度が２００平方ミリ／秒から５００平方ミリ／秒程度の場合、背面の交差角は１２０度（幅プラスマイナス１０％）程度がよく、
図７（ｃ）の例としては、粘度が５００平方ミリ／秒以上の場合、背面の交差角は８０度（幅プラスマイナス１０％）程度がよく、
粘度に合わせた背面の交差角の設定が望ましい。
【００２７】
図８は図7同様背面の形状のバリエーションを示す平面図であり、図7で２面の交差からなる背面が角度を持つ例を紹介したが、ここでは2角曲げ加工の例を示している。図８（ａ）は曲線であり、２面で角度がある場合に比べ内部容量が増す。粘度が低い汚泥や砂の処理を効率よく取り込むことができる。図８（ｂ）は同様に曲線だが、２枚の板が開口方向にそれぞれがそり反っている。角度の深い２角形状の場合よりも、取込口までが狭くなり、その結果取込速度が増加する。図８（ｃ）は取組口を挟みそれぞれがS字型の曲面である。図８（ａ）の曲線に比べ、取り込む汚泥の内部量は減少し、同様の効果ながら、浚渫用構造体全体の進行速度に与える影響が少ない。このように図８（ａ）、図８（ｂ）、図８（ｃ）それぞれを使用状況、汚泥の粘度等の条件により使い分けることが望ましい。
【００２８】
＜側面＞
「側面」（０１０３）は本体の進行方向左右に設置され、上面に対し前端から後端に緩やかに高さが高くなることで、取り込んだ汚泥が左右に拡散することを防止する。また浚渫用取込口構造体の強度を確保する。側面が上面と接する先端部には開口、柵が備わり、柵から取り込まれる汚泥を安定的に取込管へ送り込む。
【００２９】
図９は側面のバリエーションの断面図である。実線が側面を示し、点線は柵を示す。図９（ａ）は標準であり、背面傍まで柵の先端が到達し、側面は弧を描いている。これに対し図９（ｂ）は側面の下側が一部直線となっている。これに対応し柵もこの直線部分が始まるところまでとなっており、その近辺まで底面の板が伸びている。石や岩などで凹凸の激しい水底で柵を保護する役割がある。図９（ｃ）は標準と長さが同じで、標準よりも高さが高くなっている。汚泥が深く、粘度が低い場合に適した形状である。他にもさまざまなバリエーションが考えられるが、それぞれ使用状況、汚泥の粘度等の条件により使い分けることが望ましい。
【００３０】
＜取込口＞
「取込口」（０１０４）は、背面下端近傍に設けられ、開口より浚い取った放射線セシウムに汚染した泥や砂などを取込管へ送り出す。取込管は水上のフロートを経由し、池の縁等陸上にある保管場所へ汚泥を送る。
【００３１】
図１０は取込口の位置を説明している。図（ａ）は取込口が標準的に背面の下端に備わるため、開口から取り込む汚泥が内部に留まることなく下端にある取込口から取込管に送り出されるため、浚渫用取込口構造体の進行が妨げることがない。図１０（ｂ）は取込口が背面の中央部に設置されているため、背面下端から取込口までの距離には取り込まれる汚泥が滞留してしまう。その結果取込口から取込管には効率的に送ることができず、進行が妨げられる。従って取込口は背面下端から０センチメートルから１センチメートルにその最下縁が配されるようにすることが好ましい。
【００３２】
図１１は取込口のバリエーションを示す説明図である。標準の取込口１個、取込管１個だが、ここでは取込口３個、取込管３個（ａ，ｂ，ｃ）となっている。取り込んだ泥土の粘度が高い場合、通常よりも早い速度で浚渫を終えなければならないなど、標準よりも強力な取込が必要とされる場合に適している。上記背面に述べた角度の深い、浅いや、曲面などの形状など、他にもさまざまなバリエーションが考えられるが、それぞれ使用状況、汚泥の粘度等の条件により使い分けることが望ましい。
【００３３】
＜開口＞
「開口」（０１０５）は、浚渫のため、水底の泥土を浚い取るよう構成される浚渫用取込口の上面、背面、側面に挟まれる形で進行方向に設置されている。開口は前端から背面まで続いており、水底上の汚泥の巻き上げを抑え、また取り込む汚泥を取込管に送り出すことにより、汚泥の中での進行を可能としている。
【００３４】
「開口」には略前端に張り出した庇があり、水底上の汚泥の拡散を抑え、柵は浚渫用取込口構造体の前面上端から、背面に向かい下方に弧を描き、取込管のつまりの原因となりうる枝などの侵入を防いでいる
【００３５】
＜柵＞
「柵」（０１０６）は開口部に備わり、取込時のつまりの原因となりうるサイズの枝など異物の侵入を妨げるものである。池等の水底に滞積する木枝の大きさ等を考慮し、柵間及び柵と側面の幅が略８ｃｍ以下となるよう設定することが好ましい。
【００３６】
また「柵」の先端は本体下面において後方に向け曲げられる。「柵」により、枝等の異物を遮断し、池等の水底に堆積される砂、岩、小石、泥など汚染された汚泥を取り込む。
【００３７】
図１２は浚渫用取込口構造体を下から見た図で柵の全体がわかる。開口全体を覆うように柵は備えられ、取込口より大きな異物が内部に入ることを防ぐ一方で、効率よく汚泥を取り込む。
【００３８】
図１３は上記取込口（０１０４）と柵（０１０６）の長さの関係を示している。すなわち柵間の距離は常に取込口の直径よりも短くなければならない。さらに、取込口の直径は、柵間の距離の３倍と同じか大きく、柵間の距離の５倍と同じか小さくなければならない。これにより最も効率的な汚泥の取り込みを確保でき、かつ不要な異物の混入を防ぐことができる。
【００３９】
＜移動用シャフト＞
「移動用シャフト」（０１０７）は、本浚渫用取込口構造体の上面に設けられ自身を池等の水底上で移動させるための支持柱である。移動用シャフトの長さを調節することにより水深に対応し、池等の水中を必要以上にかき回すことなく水底表面の汚泥を取り込める。
【００４０】
図１４は移動用シャフト（０１０７）と本浚渫用取込口構造体の上面（０１０１）に備わるシャフト受け（１３０１）の説明図である。移動用シャフトは上面のシャフト受け（１３０１）に挿入され、シャフト受けの穴にボルトとナットで装着される。さらにナットを中心に回転が可能となる。移動用シャフトは浚渫用取込口構造体の移動に対応し、前後左右にシャフト受けとシャフトのサイズに限定される範囲で移動し、汚泥の取込を確実なものとする。またシャフトの上下方向の移動も可能となっており、底面への圧力により、汚泥に沈みこませることも可能である。
【００４１】
図１５は本浚渫用取込口構造体（１５０１）、移動用シャフト（１５０２）、櫓（１５０３）を有するフロート集合体（１５０４）からなる全体の構成図である。移動用シャフトを水上で受けるフロート集合体の櫓は、レール（１５０５）上に設置され、車輪（１５０６）によりフロート上での移動が可能であり、池等の状況に対応してより効率的な浚渫作業を行うことができる。
【００４２】
＜庇＞
「庇」（０１０８）は上面略前端から前方に張り出し、池等の水底より巻き上げられる濁りである浮泥を吸い取るために設置される。浚渫用取込口構造体の移動において汚泥が巻き上がってしまうことを防止する。
【００４３】
図１６は浚渫用取込口構造体の横断図である。図（ａ）は庇の位置を示したもので、図（ｂ）は池等の水底と水底上の汚泥での浚渫用取込口構造体の位置を示している。庇は進行方向前面に突き出すように配置され、水平面に対して角度を持ち（θ）、Ｍ1の長さを持つ。庇は角度の変更が可能であり、状況に応じ汚泥の拡散を防ぐために最適の角度を設定することができる。庇が汚泥の上面より上に配置されることにより、浚渫用取込口構造体の移動の結果池等の水底から巻き上げられる濁りを開口から吸い取ることができる。浚渫用取込口構造体の前進速度が速くなるほど水底面からの汚泥の巻き上げが多くなる。従って前進速度に応じて最適な庇とすることが考えられる。前進速度が２メートル／分（幅１０％）程度の場合には、低速といえるので、庇の長さＭ１は２センチメートルから３センチメートル（幅１０％）程度が好ましい。一方、前進速度が１メートル／分（幅１０％）程度の場合には、高速といえるので、庇の長さＭ１は６センチメートル（幅１０％）程度が好ましい。また図中θで示される角度は、前記低速の領域では３０度から６０度程度が好ましいが、高速の領域では１０度から３０度程度が好ましい。なお、上記の速度が中間領域では庇の長さ、角度も中間の値をとるのが好ましい。なお、巻き上げが起こる最初のポイントは図１６（ｂ）に示すポイント（１６０１）となる。前進速度が速い場合には、ポイントが泥に与えるエネルギーが大きく、巻き上がりが高速で起こるのに対し、前進速度が遅い場合にはポイントが泥に与えるエネルギーは小さく巻き上がりは相対的に低速で起こる。
【００４４】
図１７は庇の機能の説明図である。図（ａ）は庇がない場合の浚渫用取込口構造体を示している。浚渫用取込口構造体の高さが汚泥の高さよりも低い場合、汚泥の取込を目的とする浚渫用取込口構造体が汚泥と濁りを池等の中にまき散らすことになる。図（ｂ）は庇の先端が汚泥の高さより高い場合であり、汚泥は開口から取り込むことができる。図（ｃ）は庇よりも汚泥が低く当たらない場合である。図（ａ）の高い場合とは反対に、汚泥、濁りを池等にまき散らす可能性は低い。庇と汚泥の高さの適切関係は効果的な汚泥取込には不可欠である。
【００４５】
図１８、図１９は庇の角度の調整を可能にする構造の例を示している。庇の角度を調節することにより、池等の水底上に堆積している放射線セシウムなど有害物を含む汚染泥土の浚渫時、拡散を抑えつつ、効率的に取り込むことができる。
【００４６】
図１８は角度調整機能を持つ庇を搭載した浚渫用取込口構造体の上面図である。角度調整機能付き庇は３部品からなる。庇１個（１８０１）と左右で庇を支え、動かす支持板（１８０２）２個である。図１９は角度調整機能を持つ庇（１９０１）と週設用取込口構造体の側面図である。庇はボルト（１９０２）で側面に固定され、支持板（１９０３）のボルトを角度調整穴（１９０４）のどの位置で固定するかにより、角度を調整している。
＜実施形態２概要＞
【００４７】
＜概要＞
本実施例の発明は、実施例の１の特徴に加えて、上面先端部に備わる庇（０１０８）が角度調整可能である浚渫用取込口構造体である。庇の角度が調整可能であるため、角度を調節し汚泥の取り込みを効率的に行うことに加えて、浚渫用取込口構造体の移動において汚泥が巻き上がってしまうことを防止する
＜実施形態３概要＞
【００４８】
＜概要＞
本実施例の発明は実施例１または実施例２に記載の特徴に加え、上面先端部に備わる庇（０１０８）が、上面の左右方向に張り出している浚渫用取込口構造体である（図２０）。上面の左右両方向に庇が張り出すことにより、汚泥の取り込み範囲が広がり、より効率的に取り込めることに加えて、浚渫用取込口構造体の移動において汚泥が巻き上がるのを防止する範囲が広がる。
＜実施形態４概要＞
【００４９】
＜概要＞
本実施例の発明は実施例１、実施例２、または実施例３に記載の特徴に加え、さらに側面の開口縁にも庇が設けられている浚渫用取込口構造体である（図２１）。両側面（０１０３）の開口縁に庇が設けられることにより、設けられていない場合の取込範囲が上面の幅のみにより決定されるのに比べ、庇の張り出す長さの分、汚泥の取り込み範囲が広がり、より効率的に汚泥を取り込むことができる。さらに浚渫用取込口構造体の移動において汚泥が巻き上がるのを防止することが可能な範囲も広がる。
【符号の説明】
【００５０】
上面：０１０１、０２０１、０３０１  
背面：０１０２、０２０２  
側面：０１０３、０２０３  
取込口：０１０４、０２０４、１３０１  
開口：０１０５、０３０５，１３０３  
柵：０１０６，１８０１、１３０２、１５０２  
移動用シャフト：０１０７、０２０７、０３０７、１５０２  
庇：０１０８、０２０８、０３０８、１８０１  
シャフト受け：１４０１
浚渫用取込口構造体：１５０１
櫓：１５０３
フロート：１５０４
レール：１５０５
櫓の車輪：１５０６
庇支持板：１８０２、１９０３
庇支持板と角度調整機能付庇の接合部：１９０１
角度調整機能付庇と側面の接合部：１９０２
庇角度調整穴：１９０４
【図１】
2019015102.tif 000003
【図２】
2019015102.tif 000004
【図３】
2019015102.tif 000005
【図４】
2019015102.tif 000006
【図５】
2019015102.tif 000007
【図６】
2019015102.tif 000008
【図７】
2019015102.tif 000009
【図８】
2019015102.tif 000010
【図９】
2019015102.tif 000011
【図１０】
2019015102.tif 000012
【図１１】
2019015102.tif 000013
【図１２】
2019015102.tif 000014
【図１３】
2019015102.tif 000015
【図１４】
2019015102.tif 000016
【図１５】
2019015102.tif 000017
【図１６】
2019015102.tif 000018
【図１７】
2019015102.tif 000019
【図１８】
2019015102.tif 000020
【図１９】
2019015102.tif 000021
【図２０】
2019015102.tif 000022
【図２１】
2019015102.tif 000023